(57)【要約】【課題】設置面から伝わってくる水分が電源装置に付着し難い照明器具を提供する。【解決手段】照明器具１は、灯具本体３と、電源装置５１と、筐体２とを備える。灯具本体３は、光を出射する。電源装置５１は、灯具本体３に電力を供給する。筐体２は、灯具本体３及び電源装置５１を収容する。筐体２は側壁に開口２１ａを有する。筐体２の開口２１ａから筐体２の外部へ光が出射される。電源装置５１は、筐体２が設置される設置面Ｇに対して、灯具本体３よりも遠い位置に配置される。【選択図】図２
2019212372.tif 000002
【特許請求の範囲】
【請求項１】
光を出射する灯具本体と、
前記灯具本体に電力を供給する電源装置と、
前記灯具本体及び前記電源装置を収容する筐体と
を備え、
前記筐体は側壁に開口を有し、
前記側壁の開口から前記筐体の外部へ前記光が出射され、
前記筐体が設置される設置面に対して前記灯具本体よりも遠い位置に前記電源装置が配置される、照明器具。
【請求項２】
前記光を反射する反射部を更に備え、
前記筐体は、前記反射部を更に収容する、請求項１に記載の照明器具。
【請求項３】
前記反射部は、前記灯具本体と前記電源装置との間に配置される、請求項２に記載の照明器具。
【請求項４】
前記電源装置は、前記筐体の上部に配置される、請求項１から請求項３のいずれか１項に記載の照明器具。
【請求項５】
前記筐体は、筒状部と、前記筒状部の一方の端面の開口を覆うカバー部とを備え、
前記電源装置は、前記カバー部の近傍に配置される、請求項１から請求項４のいずれか１項に記載の照明器具。
【発明の詳細な説明】
【技術分野】
【０００１】
本発明は、照明器具に関する。
【背景技術】
【０００２】
例えば公園又は街路のような屋外に設置して使用する照明器具が知られている（例えば、特許文献１参照。）。このような屋外用の照明器具は、例えば地面のような設置面に設置される支柱と、支柱に取り付けられる器具本体とを備える。器具本体は、例えばランプのような光源と、光源に電力を供給する電源装置とを備える。
【先行技術文献】
【特許文献】
【０００３】
【特許文献１】特開２００８−２１８１８２号公報
【発明の概要】
【発明が解決しようとする課題】
【０００４】
しかしながら、一般的な屋外用の照明器具において、電源装置は、光源よりも設置面に近い位置に配置される。このため、設置面から支柱を介して伝わってくる湿気、すなわち水分が電源装置に付着し易い。電源装置に水分が付着すると、短絡が発生する可能性がある。また、電源装置に錆が発生する可能性がある。
【０００５】
本発明は上記課題に鑑みてなされたものであり、その目的は、設置面から伝わってくる水分が電源装置に付着し難い照明器具を提供することにある。
【課題を解決するための手段】
【０００６】
本願に開示する照明器具は、灯具本体と、電源装置と、筐体とを備える。前記灯具本体は、光を出射する。前記電源装置は、前記灯具本体に電力を供給する。前記筐体は、前記灯具本体及び前記電源装置を収容する。前記筐体は側壁に開口を有し、前記側壁の開口から前記筐体の外部へ前記光が出射される。前記筐体が設置される設置面に対して前記灯具本体よりも遠い位置に前記電源装置が配置される。
【０００７】
本願に開示する照明器具は、前記光を反射する反射部を更に備え得る。この場合、前記筐体は、前記反射部を更に収容する。
【０００８】
本願に開示する照明器具において、前記反射部は、前記灯具本体と前記電源装置との間に配置され得る。
【０００９】
本願に開示する照明器具において、前記電源装置は、前記筐体の上部に配置され得る。
【００１０】
本願に開示する照明器具において、前記筐体は、筒状部と、前記筒状部の一方の端面の開口を覆うカバー部とを備え得る。この場合、前記電源装置は、前記カバー部の近傍に配置され得る。
【発明の効果】
【００１１】
本発明によれば、設置面から伝わってくる水分が電源装置に付着し難くなる。
【図面の簡単な説明】
【００１２】
【図１】本発明の実施形態に係る照明器具を示す斜視図である。
【図２】本発明の実施形態に係る照明器具の構成を示す断面図である。
【図３】本発明の実施形態に係る照明器具の構成を示す断面図である。
【図４】本発明の実施形態に係る照明器具の構成を示す拡大断面図である。
【発明を実施するための形態】
【００１３】
以下、図面を参照して本発明の実施形態を説明する。但し、本発明は以下の実施形態に限定されない。なお、説明が重複する箇所については、適宜説明を省略する場合がある。また、図中、同一又は相当部分については同一の参照符号を付して説明を繰り返さない。
【００１４】
まず図１を参照して、本実施形態の照明器具１を説明する。図１は、照明器具１を示す斜視図である。本実施形態の照明器具１は、典型的には、ポール灯又はガーデンライトのような屋外用の照明器具として使用される。
【００１５】
図１に示すように、照明器具１は、筐体２を備える。筐体２は、出射部２１ａを有する。出射部２１ａは、筐体２の側壁に形成された開口である。照明器具１は、出射部２１ａから筐体２の外部に光を出射する。
【００１６】
続いて図２を参照して、照明器具１の構成を説明する。図２は、照明器具１の構成を示す断面図である。詳しくは、図２は、照明器具１を横から見た断面を示す。図２に示すように、照明器具１は、筐体２に加えて、灯具本体３、反射部４、電源ユニット５、及び支持部材６を更に備える。
【００１７】
筐体２は、例えば地面又は路面のような設置面Ｇに設置される。なお、本実施形態では、設置面Ｇ側を「下側」とし、その反対側を「上側」として、上下方向を規定する。また、筐体２において出射部２１ａが配置される側を「前側」とし、その反対側を「後側」として、前後方向を規定する。
【００１８】
筐体２は、灯具本体３、反射部４、電源ユニット５、及び支持部材６を収容する。具体的には、筐体２は、筒状部２１と、カバー部２２と、ベース部２３とを備える。
【００１９】
筒状部２１は、筒状の部材であり、上側の端面及び下側の端面の各々に開口を有する。以下、筒状部２１の上側の開口を「上側開口」と記載し、筒状部２１の下側の開口を「下側開口」と記載する場合がある。本実施形態において、筒状部２１は、矩形状である。筒状部２１は、前壁部２１１及び後壁部２１２を有し、前壁部２１１が出射部２１ａを有する。
【００２０】
カバー部２２は、筒状部２１の上面側に配置されて、筒状部２１の上側開口を覆う。ベース部２３は、筒状部２１の下面側に配置されて、筒状部２１の下側開口を覆う。本実施形態において、カバー部２２は、ねじのような固定部材によってカバー部２２の外側から筒状部２１に固定される。
【００２１】
灯具本体３は、反射部４へ向けて光を出射する。具体的には、灯具本体３は、例えばＬＥＤ（Ｌｉｇｈｔ  Ｅｍｉｔｔｉｎｇ  Ｄｉｏｄｅ）のような光源３１を備える。光源３１は、電源ユニット５から供給される電力に応じて光を発生する。光源３１から発生した光が、灯具本体３から出射される。なお、灯具本体３は、レンズ及びヒートシンクを備えてもよい。灯具本体３がレンズを備えることにより、反射部４へ向けて光を効率よく送ることができる。また、灯具本体３がヒートシンクを備えることにより、灯具本体３の発熱を抑制することができる。
【００２２】
反射部４は、灯具本体３から入射した光を出射部２１ａへ向けて反射する。この結果、出射部２１ａから筐体２の外部に光が出射される。本実施形態の照明器具１は、設置面Ｇを照らす光を出射する。具体的には、本実施形態の反射部４は、板状の部材であり、略斜め上に向けてなだらかに膨らむ湾曲形状を有し、反射部４の内側の面が反射面として機能する。
【００２３】
電源ユニット５は、灯具本体３へ供給する電力を生成する。具体的には、電源ユニット５は、電源装置５１を備える。電源装置５１には、例えば商用電源のような電源から電源電圧が供給される。電源装置５１は、電源電圧に基づき、光源３１に供給する電力を生成する。例えば、光源３１がＬＥＤである場合、電源装置５１は、交流電源電圧を変圧するとともに、変圧後の交流電源電圧を直流電源電圧に変換する。更に、電源装置５１は、直流電源電圧に基づいて定電流を生成する。この定電流が、光源３１へ供給される。
【００２４】
支持部材６は、灯具本体３、反射部４、及び電源ユニット５を支持する。具体的には、支持部材６は、第１支持部材６１、第２支持部材６２、及び第３支持部材６３を備える。第１支持部材６１は、反射部４、第２支持部材６２、及び第３支持部材６３を支持する。第２支持部材６２は、灯具本体３を支持する。第３支持部材６３は、電源ユニット５を支持する。
【００２５】
より詳しくは、本実施形態の支持部材６は、灯具本体３よりも上方の位置において電源ユニット５を支持する。したがって、本実施形態によれば、設置面Ｇに対して灯具本体３よりも遠い位置に電源装置５１が配置される。この結果、電源装置が光源よりも設置面に近い位置に配置される構成と比べて、設置面Ｇから支柱を介して伝わってくる湿気、すなわち水分が電源装置５１に付着し難くなる。よって、電源装置５１において短絡が発生する可能性を低減させることができる。また、電源装置５１に錆が発生する可能性を低減させることができる。
【００２６】
また、本実施形態の支持部材６は、灯具本体３と電源ユニット５との間に反射部４が配置されるように、反射部４を支持する。したがって、本実施形態によれば、灯具本体３と電源装置５１との間に反射部４が配置される。この結果、灯具本体３と電源装置５１とが離れて配置されるため、灯具本体３と電源装置５１との間の熱干渉を抑制することができる。よって、照明器具１の放熱性を向上させることができる。また、灯具本体３と電源装置５１との間に反射部４が配置されることにより、電源装置５１への水分の付着を反射部４によって抑制することができる。
【００２７】
また、本実施形態の支持部材６は、筐体２の上部において電源ユニット５を支持する。したがって、本実施形態によれば、電源装置５１は、筐体２の上部に配置される。この結果、設置面Ｇから支柱を介して伝わってくる水分が電源装置５１に付着し難くなる。
【００２８】
また、本実施形態の支持部材６は、カバー部２２の近傍の位置において電源ユニット５を支持する。したがって、本実施形態によれば、電源装置５１は、カバー部２２の近傍に配置される。この結果、カバー部２２を筒状部２１から取り外して、電源装置５１のメンテナンスを行うことができる。よって、電源装置５１のメンテナンス作業が容易となる。
【００２９】
また、灯具本体、反射部、及び電源ユニットを備える構成において、電源ユニットを灯具本体の下方に配置した場合、光を出射する出射部の位置を低くすることが困難になる。これに対し、本実施形態によれば、電源ユニット５が、灯具本体３及び反射部４の上方に位置するため、出射部２１ａの位置を容易に低くすることができる。なお、照明器具１を公園の遊歩道などに設置する場合、出射部２１ａの位置を低くすることにより、遊歩道を通行する通行人の目に光が入り難くなり、通行人が眩しさを感じ難くなる。また、通行人が眩しさを感じ難くなるため、出射部２１ａから出射される光の強度をより強くして、地面を明るく且つ広範囲に照らすことができる。
【００３０】
続いて、図２を参照して照明器具１の構成を更に説明する。図２に示すように、照明器具１は、筐体２、灯具本体３、反射部４、電源ユニット５、及び支持部材６に加えて、第１パネル７、第２パネル８、結束バンド９、及び取付部材１０を更に備える。筐体２は、灯具本体３、反射部４、電源ユニット５、及び支持部材６に加えて、第１パネル７、第２パネル８、結束バンド９、及び取付部材１０を更に収容する。
【００３１】
本実施形態において、支持部材６は、第１パネル７を更に支持する。第１パネル７は、反射部４と出射部２１ａとの間に配置される。第１パネル７は、スプレッドパネルであり、反射部４から受光した光を横方向に広げる。この結果、横方向に広がった光を設置面Ｇに照射することができる。また、設置面Ｇにおいて光が照射される領域の境界を暈すことができる。
【００３２】
第２パネル８は、出射部２１ａを覆うカバー部材である。第２パネル８は、例えばガラスのような透光性の高い材料からなる。照明器具１が第２パネル８を備えることで、出射部２１ａから筐体２の内部に虫や粉塵等の異物が侵入し難くなる。また、出射部２１ａから筐体２の内部に雨等の水分が侵入し難くなる。
【００３３】
結束バンド９は、図４を参照して後述する第３電力線１１３を支持する。結束バンド９は、第１支持部材６１に取り付けられて、灯具本体３の下方に配置される。換言すると、結束バンド９は、第１支持部材６１に吊り下げられる。具体的には、第１支持部材６１は、下板部６１１を有する。下板部６１１は、後側から前側に延びる板状部であり、第２支持部材６２を介して灯具本体３を支持する。結束バンド９は、下板部６１１に吊り下げられる。
【００３４】
取付部材１０は、ねじのような固定部材によって筒状部２１に固定される。更に、取付部材１０は、ボルトのような固定部材により、ベース部２３を介して設置面Ｇに固定される。この結果、筒状部２１が、取付部材１０を介して、ベース部２３に取り付けられる。また、ベース部２３が設置面Ｇに固定される。
【００３５】
続いて図３を参照して、照明器具１について更に説明する。図３は、照明器具１の構成を示す断面図である。詳しくは、図３は、筐体２の底部を上方から見た断面を示す。
【００３６】
図３に示すように、取付部材１０は、配線穴１０１及び取付穴１０２を有する。配線穴１０１及び取付穴１０２はいずれも、取付部材１０を貫通する。同様に、図２を参照して説明したベース部２３も、取付部材１０の配線穴１０１及び取付穴１０２に対応する位置に、ベース部２３を貫通する配線穴１０１及び取付穴１０２を有する。
【００３７】
配線穴１０１には、図４を参照して説明する第１電力線１１１が挿入される。取付穴１０２には、ボルトのような固定部材が取り付けられる。図２を参照して説明した設置面Ｇにベース部２３を設置した状態で、取付穴１０２に固定部材を取り付けることにより、取付部材１０及びベース部２３が設置面Ｇに対して固定される。
【００３８】
続いて図４を参照して、照明器具１について更に説明する。図４は、照明器具１の構成を示す拡大断面図である。詳しくは、図４は、照明器具１の配線の構成を示す。
【００３９】
図４に示すように、筐体２の外部から筐体２の内部に第１電力線１１１が挿入される。詳しくは、図３を参照して説明した配線穴１０１を介して、筐体２の内部に第１電力線１１１が挿入される。第１電力線１１１は、例えば商用電源のような電源に電気的に接続される。本実施形態において、第１電力線１１１の先端には、第１コネクタ１１１ａが取り付けられる。
【００４０】
図４に示すように、照明器具１は、第２電力線１１２を更に備える。第２電力線１１２の一端は、電源ユニット５に接続している。詳しくは、第２電力線１１２は、第１支持部材６１に形成された開口を介して、電源ユニット５に接続している。第２電力線１１２の他端は、第１電力線１１１に電気的に接続する。この結果、第１電力線１１１及び第２電力線１１２を介して、例えば商用電源のような電源から電源装置５１に電源電圧が供給される。
【００４１】
より具体的には、第１支持部材６１は、縦板部６１２を有する。縦板部６１２は、下側から上側に延びる板状部であり、筒状部２１の後壁部２１２に沿って配置される。第２電力線１１２は、縦板部６１２と後壁部２１２との間の空間を介して、電源ユニット５から第１電力線１１１の先端まで延びる。本実施形態において、照明器具１は、第２電力線１１２の他端に取り付けられた第２コネクタ１１２ａを更に備える。第２コネクタ１１２ａは、第１コネクタ１１１ａに接続される。この結果、第２電力線１１２が第１電力線１１１に電気的に接続する。
【００４２】
図４に示すように、照明器具１は、第３電力線１１３を更に備える。第３電力線１１３の一端は、電源ユニット５に接続している。詳しくは、第３電力線１１３は、第１支持部材６１に形成された開口を介して、電源ユニット５に接続している。第３電力線１１３の他端は、灯具本体３に接続している。より具体的には、第３電力線１１３は、縦板部６１２と後壁部２１２との間の空間を通り、下板部６１１の下方で結束バンド９に支持されて、灯具本体３に接続する。電源装置５１は、第３電力線１１３を介して、光源３１に電力を供給する。
【００４３】
以上、図面（図１〜図４）を参照して本発明の実施形態について説明した。但し、本発明は、上記の実施形態に限られるものではなく、その要旨を逸脱しない範囲で種々の態様において実施できる。例えば、上記の実施形態に開示される複数の構成要素は適宜改変可能である。
【００４４】
また、図面は、発明の理解を容易にするために、それぞれの構成要素を主体に模式的に示しており、図示された各構成要素の厚さ、長さ、個数、間隔等は、図面作成の都合上から実際とは異なる場合もある。また、上記の実施形態で示す各構成要素の構成は一例であって、特に限定されるものではなく、本発明の効果から実質的に逸脱しない範囲で種々の変更が可能であることは言うまでもない。
【００４５】
例えば、本発明による実施形態において、照明器具１は反射部４を備えたが、反射部４は省略され得る。
【００４６】
また、本発明による実施形態において、出射部２１ａは筐体２の側壁に形成されたが、出射部２１ａの位置は任意に設定することができる。例えば、出射部２１ａは、筐体２の側壁に加えて、筐体２の上壁に更に形成されてもよい。
【００４７】
また、本発明による実施形態において、筒状部２１は矩形状であったが、筒状部２１の形状は、中空形状である限り限定されない。例えば、筒状部２１は円筒状であってもよい。
【００４８】
また、本発明による実施形態において、カバー部２２は筒状部２１に固定されたが、カバー部２２は支持部材６に固定されてもよい。
【００４９】
また、本発明による実施形態において、カバー部２２は、カバー部２２の外側から固定部材によって筒状部２１に固定されたが、カバー部２２は、支持部材６の内側から固定部材によって支持部材６に固定されてもよい。
【００５０】
また、本発明による実施形態において、照明器具１は第１パネル７及び第２パネル８を備えたが、第１パネル７及び第２パネル８は省略され得る。
【００５１】
また、本発明による実施形態において、照明器具１は屋外に設置されたが、照明器具１は屋内に設置されてもよい。なお、照明器具１を屋内に設置する場合、照明器具１は、床面に設置されてもよいし、天井面に設置されてもよい。
【産業上の利用可能性】
【００５２】
本発明は、照明器具の分野に適用することができ、特に、ポール灯又はガーデンライトのような屋外用の照明器具の分野において有用である。
【符号の説明】
【００５３】
１        照明器具
２        筐体
３        灯具本体
４        反射部
２１      筒状部
２１ａ    出射部（開口）
２２      カバー部
５１      電源装置
Ｇ        設置面
【図１】
2019212372.tif 000003
【図２】
2019212372.tif 000004
【図３】
2019212372.tif 000005
【図４】
2019212372.tif 000006